(57)【要約】【課題】  ＲＦＩＤタグが存在しうるとした領域（ＲＦＩＤタグを有する管理対象が存在する可能性がある領域）において、ＲＦＩＤタグを管理することが可能なＲＦＩＤタグの管理システムを提供することを目的とする。【解決手段】  タグ取り外し再利用処理端末７によって、物品紐付け情報が解除されてから所定時間経過後に、保管箱用ＲＦＩＤリーダ部１０を制御して、物品紐付け情報を解除されたＲＦＩＤタグ１が、保管箱内ＲＦＩＤリーダアンテナ部９からの送信された電波に応答するかどうか判定する機能、又は、タグ保管箱８が閉じたことをトリガとして、つまり、開閉検知手段８ｂから検知信号を受け、その検知信号をトリガとして、保管箱用ＲＦＩＤリーダ部１０を制御して、物品紐付け情報を解除されたＲＦＩＤタグ１が、保管箱内ＲＦＩＤリーダアンテナ部９からの送信された電波に応答するかどうか判定する機能を有するＲＦＩＤタグの管理システム。【選択図】        図１
2012208875.tif 000002
【特許請求の範囲】
【請求項１】
ＲＦＩＤタグを有する管理対象が存在する可能性がある複数の管理対象所在エリア内に、それぞれＲＦＩＤリーダアンテナ部を設け、前記ＲＦＩＤタグへ電波を送信して、その応答の有無から前記ＲＦＩＤタグの所在を確認するＲＦＩＤリーダ部と、このＲＦＩＤリーダ部に接続され、前記ＲＦＩＤタグのＩＤ情報と前記ＲＦＩＤタグを有する管理対象の情報とを紐付けた管理対象紐付け情報を記憶するデータベースサーバ部と、前記複数の管理対象所在エリアのうち、一つの管理対象所在エリアの内部に設けられ、端末用ＲＦＩＤリーダアンテナ部と接続され、前記端末用ＲＦＩＤリーダアンテナ部を介して、読み込んだＲＦＩＤタグが前記管理対象紐付け情報を有するものであるときは、当該管理対象紐付け情報を解除して、前記データベースサーバ部に記憶された前記管理対象紐付け情報を更新するタグ取り外し再利用処理端末と、前記端末用ＲＦＩＤリーダアンテナ部と同じ管理対象所在エリア内に配置され、内部に前記ＲＦＩＤタグを保持することが可能な空間を有し、その空間と外部とを閉じることで電磁的に遮蔽状態とすることが可能な蓋手段が設けられた筐体を有するタグ保管箱と、このタグ保管箱の内部に形成された保管箱内ＲＦＩＤリーダアンテナ部と、この保管箱内ＲＦＩＤリーダアンテナ部に接続された保管箱用ＲＦＩＤリーダ部と、前記タグ取り外し再利用処理端末によって、前記管理対象紐付け情報が解除されてから所定時間経過後に、前記保管箱用ＲＦＩＤリーダ部を制御して、前記管理対象紐付け情報を解除されたＲＦＩＤタグが、前記保管箱内ＲＦＩＤリーダアンテナ部からの送信された電波に応答するかどうか判定する制御部とを備えたことを特徴とするＲＦＩＤタグの管理システム。
【請求項２】
前記制御部は、前記タグ保管箱が閉じたことをトリガとして、前記保管箱用ＲＦＩＤリーダ部を制御して、前記保管箱内ＲＦＩＤリーダアンテナ部から電波を送信するものである請求項１に記載のＲＦＩＤタグの管理システム。
【請求項３】
ＲＦＩＤタグを有する管理対象が存在する可能性がある複数の管理対象所在エリア内に、それぞれＲＦＩＤリーダアンテナ部を設け、前記ＲＦＩＤタグへ電波を送信して、その応答の有無から前記ＲＦＩＤタグの所在を確認するＲＦＩＤリーダ部と、このＲＦＩＤリーダ部に接続され、前記ＲＦＩＤタグのＩＤ情報と前記ＲＦＩＤタグを有する管理対象の情報とを紐付けた管理対象紐付け情報を記憶するデータベースサーバ部と、前記複数の管理対象所在エリアのうち、一つの管理対象所在エリアの内部に設けられ、端末用ＲＦＩＤリーダアンテナ部と接続され、前記端末用ＲＦＩＤリーダアンテナ部を介して、読み込んだＲＦＩＤタグが前記管理対象紐付け情報を有するものであるときは、当該管理対象紐付け情報を解除して、前記データベースサーバ部に記憶された前記管理対象紐付け情報を更新するタグ取り外し再利用処理端末と、前記端末用ＲＦＩＤリーダアンテナ部と同じ管理対象所在エリア内に配置され、内部に前記ＲＦＩＤタグを保持することが可能な空間を有し、その空間と外部とを閉じることで電磁的に遮蔽状態とすることが可能な蓋手段が設けられた筐体を有するタグ保管箱と、このタグ保管箱の内部に形成された保管箱内ＲＦＩＤリーダアンテナ部と、この保管箱内ＲＦＩＤリーダアンテナ部に接続された保管箱用ＲＦＩＤリーダ部と、前記タグ保管箱が閉じたことをトリガとして、前記保管箱用ＲＦＩＤリーダ部を制御して、前記管理対象紐付け情報を解除されたＲＦＩＤタグが、前記保管箱内ＲＦＩＤリーダアンテナ部からの送信された電波に応答するかどうか判定する制御部とを備えたことを特徴とするＲＦＩＤタグの管理システム。
【請求項４】
前記制御部は、前記ＲＦＩＤリーダ部と接続され、前記データベースサーバ部にて記憶されているＩＤ情報が前記管理対象紐付け情報を解除された状態のＲＦＩＤタグが存在するときは、前記ＲＦＩＤリーダ部を制御して、連続又は間欠的に、前記ＲＦＩＤリーダアンテナ部から電波を送信し、前記ＲＦＩＤタグの応答を確認するものである請求項１〜３のいずれかに記載のＲＦＩＤタグの管理システム。
【請求項５】
前記タグ取り外し再利用処理端末は、前記端末用ＲＦＩＤリーダアンテナ部を介して、前記データベースサーバ部にて記憶されているＩＤ情報が前記管理対象紐付け情報を解除されたＲＦＩＤタグを読み込んで、前記データベースサーバ部にて記憶されているＩＤ情報が前記管理対象紐付け情報を解除された状態のＲＦＩＤタグを新たに管理対象の情報と紐付けて前記データベースサーバ部に記憶された情報を更新するものである請求項１〜３のいずれかに記載のＲＦＩＤタグの管理システム。
【請求項６】
請求項４に記載のＲＦＩＤタグの管理システムは、前記制御部が、前記タグ保管箱が開いたことをトリガとして、前記ＲＦＩＤリーダ部を制御して、前記端末用ＲＦＩＤリーダアンテナ部と同じ管理対象所在エリア内に配置された前記ＲＦＩＤリーダアンテナ部から電波を送信し、前記ＲＦＩＤタグの応答を確認する動作を停止させ、前記タグ取り外し再利用処理端末が、前記端末用ＲＦＩＤリーダアンテナ部を介して、前記データベースサーバ部にて記憶されているＩＤ情報が前記管理対象紐付け情報を解除されたＲＦＩＤタグを読み込んで、前記データベースサーバ部にて記憶されているＩＤ情報が前記管理対象紐付け情報を解除された状態のＲＦＩＤタグを新たに管理対象の情報と紐付けて前記データベースサーバ部に記憶された情報を更新するものであるＲＦＩＤタグの管理システム。
【請求項７】
前記制御部は、前記タグ取り外し再利用処理端末による前記データベースサーバ部にて記憶されているＩＤ情報が前記管理対象紐付け情報を解除された状態のＲＦＩＤタグを新たに管理対象と紐付けて前記データベースサーバ部に記憶された情報を更新したことをトリガとして、前記ＲＦＩＤリーダ部を制御して、前記端末用ＲＦＩＤリーダアンテナ部と同じ管理対象所在エリア内に配置された前記ＲＦＩＤリーダアンテナ部から電波を送信し、前記ＲＦＩＤタグの応答を確認する動作を再開させる請求項６に記載のＲＦＩＤタグの管理システム。
【請求項８】
前記タグ取り外し再利用処理端末は、前記データベースサーバ部にて記憶されているＩＤ情報が前記管理対象紐付け情報を解除されたＲＦＩＤタグのＩＤ情報と新たに紐付ける予定の管理対象の情報とを紐付けて予約管理対象紐付け情報として前記データベースサーバ部に記憶された情報を更新し、所定時間内に、前記端末用ＲＦＩＤリーダアンテナ部を介して、前記データベースサーバ部にて記憶されているＩＤ情報と紐付ける予定の管理対象の情報とが紐付けられたＲＦＩＤタグを読み込んだときに、前記予約管理対象紐付け情報を解除して、この予約管理対象紐付け情報が解除されたＲＦＩＤタグのＩＤ情報と前記新たに紐付ける予定の管理対象の情報と紐付けて前記データベースサーバ部に記憶された情報を更新するものである請求項１〜３のいずれかに記載のＲＦＩＤタグの管理システム。
【請求項９】
請求項４に記載のＲＦＩＤタグの管理システムは、前記制御部が、前記タグ保管箱が開いたことをトリガとして、前記ＲＦＩＤリーダ部を制御して、前記端末用ＲＦＩＤリーダアンテナ部と同じ管理対象所在エリア内に配置された前記ＲＦＩＤリーダアンテナ部から電波を送信し、前記ＲＦＩＤタグの応答を確認する動作を停止させ、前記タグ保管箱が閉じたことをトリガとして、前記ＲＦＩＤリーダ部を制御して、前記端末用ＲＦＩＤリーダアンテナ部と同じ管理対象所在エリア内に配置された前記ＲＦＩＤリーダアンテナ部から電波を送信し、前記ＲＦＩＤタグの応答を確認する動作を再開させ、前記タグ取り外し再利用処理端末が、前記データベースサーバ部にて記憶されているＩＤ情報が前記管理対象紐付け情報を解除されたＲＦＩＤタグのＩＤ情報と新たに紐付ける予定の管理対象の情報とを紐付けて予約管理対象紐付け情報として前記データベースサーバ部に記憶された情報を更新し、所定時間内に、前記端末用ＲＦＩＤリーダアンテナ部を介して、前記データベースサーバ部にて記憶されているＩＤ情報と紐付ける予定の管理対象の情報とが紐付けられたＲＦＩＤタグを読み込んだときに、前記予約管理対象紐付け情報を解除して、この予約管理対象紐付け情報が解除されたＲＦＩＤタグのＩＤ情報と前記新たに紐付ける予定の管理対象の情報と紐付けて前記データベースサーバ部に記憶された情報を更新するものであるＲＦＩＤタグの管理システム。
【請求項１０】
前記タグ取り外し再利用処理端末は、前記所定時間以内に、前記端末用ＲＦＩＤリーダアンテナ部を介して、前記データベースサーバ部にて記憶されているＩＤ情報と紐付ける予定の管理対象の情報とが紐付けられたＲＦＩＤタグが読み込まれなったときに、前記予約管理対象紐付け情報を解除して、前記データベースサーバ部に記憶された情報を更新するものである請求項９に記載のＲＦＩＤタグの管理システム。
【発明の詳細な説明】
【技術分野】
【０００１】
この発明は、物品や人などの管理対象にＲａｄｉｏ＿Ｆｒｅｑｕｅｎｃｙ＿ＩＤｅｎｔｉｆｉｃａｔｉｏｎ（以下、ＲＦＩＤと称す）タグを貼り付けて、ＲＦＩＤシステムを用いて管理を行うシステムに使用するＲＦＩＤタグを管理するものに関する。
【背景技術】
【０００２】
従来、管理対象（物品）にＲＦＩＤタグを貼り付けて、ＲＦＩＤシステムを用い、管理を行うものには、管理区域内に設置されたＲＦＩＤリーダライタ（ＩＣタグリーダライタ）を介してＲＦＩＤタグ（物品管理タグ）の情報を読み取るものがある（例えば、特許文献１参照）。なお、管理対象に貼り付けるＲＦＩＤタグ（非接触通信媒体）には、金属部分を有するカバーを用いて、一時的に、読み取れないようにするものがある（例えば、特許文献２参照）。さらに、管理対象に貼り付けるＲＦＩＤタグには、センサを設けて、管理対象（管理対象物）からの取り外しを検知するものがある（例えば、特許文献３参照）。
【０００３】
また、管理対象（物品）にＲＦＩＤタグを貼り付けて、ＲＦＩＤシステムを用い、管理を行うものには、管理区域（倉庫）内に設置されたＲＦＩＤリーダライタ（リーダ）の電波送受信用アンテナを介してＲＦＩＤタグ（非接触型ＩＣタグ）の情報を読み取り、管理区域（倉庫）が開放されているかどうかの判断を行うために、管理区域（倉庫）外に、検知用のＲＦＩＤタグ（非接触型ＩＣタグ）を配置したものがある（例えば、特許文献４参照）。なお、特許文献５には、金属などの電磁波を遮蔽する材質で構成された物品収納ケース内のＲＦＩＤタグを読み取るＲＦＩＤシステムが開示されている。
【先行技術文献】
【特許文献】
【０００４】
【特許文献１】特開２００６−２５９８８７号公報
【特許文献２】特開２００６−０９９２９０号公報
【特許文献３】特開２００６−１０６８３１号公報
【特許文献４】特開２００２−１９３４４８号公報
【特許文献５】特開２００８−１０７８８８号公報
【発明の概要】
【発明が解決しようとする課題】
【０００５】
管理対象（物品）にＲＦＩＤタグを貼り付けて、ＲＦＩＤシステムを用い、管理を行うものである特許文献１の段落番号［００３２］の記載及び図７のＳ２８には、ＲＦＩＤタグ（物品管理タグ）が読めない場合、“取り外し中”と設定する旨の記載がある。しかし、この処理では、管理区域内において、物品とこの物品に貼り付けられた物品管理タグとが無いのか、物品管理タグだけがないのかが判断が判断できず、ＲＦＩＤタグ（物品管理タグ）が管理できていないという課題がある。特に、特許文献２に記載のような、金属部分を有するカバーを用いて、一時的に、読み取れないようにするＲＦＩＤタグ（非接触通信媒体）を用いた場合は、この一時的な変更を適切に管理できていないと、前述の課題が顕著になる可能性が高い。
【０００６】
また、管理区域内において、物品とこの物品に貼り付けられた物品管理タグとが無いのか、物品管理タグだけがないのを判断するために、特許文献３に記載のような管理対象（管理対象物）からの取り外しを検知することが可能なＲＦＩＤタグ（非接触通信媒体）を適用し、前述の課題を解決することが想到されるが、センサ付きのＲＦＩＤタグを使用することにより、専用のＲＦＩＤタグやセンサに対応したシステムが必要となり、汎用のＲＦＩＤタグやそれを管理するＲＦＩＤシステムが使用できず、ハードウェアやシステムが複雑になってしまうという課題がある。
【０００７】
一方、特許文献４及び５に記載されたシステムは、管理区域（倉庫、ケース）内に存在するＲＦＩＤタグ（非接触型ＩＣタグ）の有無を検出するものであり、ＲＦＩＤタグ（非接触型ＩＣタグ）自体の管理するものではない。
【０００８】
この発明は、上記のような課題を解消するためになされたもので、ＲＦＩＤタグが存在しうるとした領域（ＲＦＩＤタグを有する管理対象が存在する可能性がある領域）において、ＲＦＩＤタグを管理することが可能なＲＦＩＤタグの管理システムを提供することを目的とする。
【課題を解決するための手段】
【０００９】
請求項１の発明に係るＲＦＩＤタグの管理システムは、ＲＦＩＤタグを有する管理対象が存在する可能性がある複数の管理対象所在エリア内に、それぞれＲＦＩＤリーダアンテナ部を設け、前記ＲＦＩＤタグへ電波を送信して、その応答の有無から前記ＲＦＩＤタグの所在を確認するＲＦＩＤリーダ部と、このＲＦＩＤリーダ部に接続され、前記ＲＦＩＤタグのＩＤ情報と前記ＲＦＩＤタグを有する管理対象の情報とを紐付けた管理対象紐付け情報を記憶するデータベースサーバ部と、前記複数の管理対象所在エリアのうち、一つの管理対象所在エリアの内部に設けられ、端末用ＲＦＩＤリーダアンテナ部と接続され、前記端末用ＲＦＩＤリーダアンテナ部を介して、読み込んだＲＦＩＤタグが前記管理対象紐付け情報を有するものであるときは、当該管理対象紐付け情報を解除して、前記データベースサーバ部に記憶された前記管理対象紐付け情報を更新するタグ取り外し再利用処理端末と、前記端末用ＲＦＩＤリーダアンテナ部と同じ管理対象所在エリア内に配置され、内部に前記ＲＦＩＤタグを保持することが可能な空間を有し、その空間と外部とを閉じることで電磁的に遮蔽状態とすることが可能な蓋手段が設けられた筐体を有するタグ保管箱と、このタグ保管箱の内部に形成された保管箱内ＲＦＩＤリーダアンテナ部と、この保管箱内ＲＦＩＤリーダアンテナ部に接続された保管箱用ＲＦＩＤリーダ部と、前記タグ取り外し再利用処理端末によって、前記管理対象紐付け情報が解除されてから所定時間経過後に、前記保管箱用ＲＦＩＤリーダ部を制御して、前記管理対象紐付け情報を解除されたＲＦＩＤタグが、前記保管箱内ＲＦＩＤリーダアンテナ部からの送信された電波に応答するかどうか判定する制御部とを備えたことを特徴とするものである。
【００１０】
請求項２の発明に係るＲＦＩＤタグの管理システムは、前記制御部が、前記タグ保管箱が閉じたことをトリガとして、前記保管箱用ＲＦＩＤリーダ部を制御して、前記保管箱内ＲＦＩＤリーダアンテナ部から電波を送信するものである請求項１に記載のものである。
【００１１】
請求項３の発明に係るＲＦＩＤタグの管理システムは、ＲＦＩＤタグを有する管理対象が存在する可能性がある複数の管理対象所在エリア内に、それぞれＲＦＩＤリーダアンテナ部を設け、前記ＲＦＩＤタグへ電波を送信して、その応答の有無から前記ＲＦＩＤタグの所在を確認するＲＦＩＤリーダ部と、このＲＦＩＤリーダ部に接続され、前記ＲＦＩＤタグのＩＤ情報と前記ＲＦＩＤタグを有する管理対象の情報とを紐付けた管理対象紐付け情報を記憶するデータベースサーバ部と、前記複数の管理対象所在エリアのうち、一つの管理対象所在エリアの内部に設けられ、端末用ＲＦＩＤリーダアンテナ部と接続され、前記端末用ＲＦＩＤリーダアンテナ部を介して、読み込んだＲＦＩＤタグが前記管理対象紐付け情報を有するものであるときは、当該管理対象紐付け情報を解除して、前記データベースサーバ部に記憶された前記管理対象紐付け情報を更新するタグ取り外し再利用処理端末と、前記端末用ＲＦＩＤリーダアンテナ部と同じ管理対象所在エリア内に配置され、内部に前記ＲＦＩＤタグを保持することが可能な空間を有し、その空間と外部とを閉じることで電磁的に遮蔽状態とすることが可能な蓋手段が設けられた筐体を有するタグ保管箱と、このタグ保管箱の内部に形成された保管箱内ＲＦＩＤリーダアンテナ部と、この保管箱内ＲＦＩＤリーダアンテナ部に接続された保管箱用ＲＦＩＤリーダ部と、前記タグ保管箱が閉じたことをトリガとして、前記保管箱用ＲＦＩＤリーダ部を制御して、前記管理対象紐付け情報を解除されたＲＦＩＤタグが、前記保管箱内ＲＦＩＤリーダアンテナ部からの送信された電波に応答するかどうか判定する制御部とを備えたことを特徴とするものである。
【００１２】
請求項４の発明に係るＲＦＩＤタグの管理システムは、前記制御部が、前記ＲＦＩＤリーダ部と接続され、前記データベースサーバ部にて記憶されているＩＤ情報が前記管理対象紐付け情報を解除された状態のＲＦＩＤタグが存在するときは、前記ＲＦＩＤリーダ部を制御して、連続又は間欠的に、前記ＲＦＩＤリーダアンテナ部から電波を送信し、前記ＲＦＩＤタグの応答を確認するものである請求項１〜３のいずれかに記載のものである。
【００１３】
請求項５の発明に係るＲＦＩＤタグの管理システムは、前記タグ取り外し再利用処理端末が、前記端末用ＲＦＩＤリーダアンテナ部を介して、前記データベースサーバ部にて記憶されているＩＤ情報が前記管理対象紐付け情報を解除されたＲＦＩＤタグを読み込んで、前記データベースサーバ部にて記憶されているＩＤ情報が前記管理対象紐付け情報を解除された状態のＲＦＩＤタグを新たに管理対象の情報と紐付けて前記データベースサーバ部に記憶された情報を更新するものである請求項１〜３のいずれかに記載のものである。
【００１４】
請求項６の発明に係るＲＦＩＤタグの管理システムは、前記制御部が、前記タグ保管箱が開いたことをトリガとして、前記ＲＦＩＤリーダ部を制御して、前記端末用ＲＦＩＤリーダアンテナ部と同じ管理対象所在エリア内に配置された前記ＲＦＩＤリーダアンテナ部から電波を送信し、前記ＲＦＩＤタグの応答を確認する動作を停止させ、前記タグ取り外し再利用処理端末が、前記端末用ＲＦＩＤリーダアンテナ部を介して、前記データベースサーバ部にて記憶されているＩＤ情報が前記管理対象紐付け情報を解除されたＲＦＩＤタグを読み込んで、前記データベースサーバ部にて記憶されているＩＤ情報が前記管理対象紐付け情報を解除された状態のＲＦＩＤタグを新たに管理対象の情報と紐付けて前記データベースサーバ部に記憶された情報を更新するものである請求項４に記載のものである。
【００１５】
請求項７の発明に係るＲＦＩＤタグの管理システムは、前記制御部が、前記タグ取り外し再利用処理端末による前記データベースサーバ部にて記憶されているＩＤ情報が前記管理対象紐付け情報を解除された状態のＲＦＩＤタグを新たに管理対象と紐付けて前記データベースサーバ部に記憶された情報を更新したことをトリガとして、前記ＲＦＩＤリーダ部を制御して、前記端末用ＲＦＩＤリーダアンテナ部と同じ管理対象所在エリア内に配置された前記ＲＦＩＤリーダアンテナ部から電波を送信し、前記ＲＦＩＤタグの応答を確認する動作を再開させる請求項６に記載のものである。
【００１６】
請求項８の発明に係るＲＦＩＤタグの管理システムは、前記タグ取り外し再利用処理端末が、前記データベースサーバ部にて記憶されているＩＤ情報が前記管理対象紐付け情報を解除されたＲＦＩＤタグのＩＤ情報と新たに紐付ける予定の管理対象の情報とを紐付けて予約管理対象紐付け情報として前記データベースサーバ部に記憶された情報を更新し、所定時間内に、前記端末用ＲＦＩＤリーダアンテナ部を介して、前記データベースサーバ部にて記憶されているＩＤ情報と紐付ける予定の管理対象の情報とが紐付けられたＲＦＩＤタグを読み込んだときに、前記予約管理対象紐付け情報を解除して、この予約管理対象紐付け情報が解除されたＲＦＩＤタグのＩＤ情報と前記新たに紐付ける予定の管理対象の情報と紐付けて前記データベースサーバ部に記憶された情報を更新するものである請求項１〜３のいずれかに記載のものである。
【００１７】
請求項９の発明に係るＲＦＩＤタグの管理システムは、前記制御部が、前記タグ保管箱が開いたことをトリガとして、前記ＲＦＩＤリーダ部を制御して、前記端末用ＲＦＩＤリーダアンテナ部と同じ管理対象所在エリア内に配置された前記ＲＦＩＤリーダアンテナ部から電波を送信し、前記ＲＦＩＤタグの応答を確認する動作を停止させ、前記タグ保管箱が閉じたことをトリガとして、前記ＲＦＩＤリーダ部を制御して、前記端末用ＲＦＩＤリーダアンテナ部と同じ管理対象所在エリア内に配置された前記ＲＦＩＤリーダアンテナ部から電波を送信し、前記ＲＦＩＤタグの応答を確認する動作を再開させ、前記タグ取り外し再利用処理端末が、前記データベースサーバ部にて記憶されているＩＤ情報が前記管理対象紐付け情報を解除されたＲＦＩＤタグのＩＤ情報と新たに紐付ける予定の管理対象の情報とを紐付けて予約管理対象紐付け情報として前記データベースサーバ部に記憶された情報を更新し、所定時間内に、前記端末用ＲＦＩＤリーダアンテナ部を介して、前記データベースサーバ部にて記憶されているＩＤ情報と紐付ける予定の管理対象の情報とが紐付けられたＲＦＩＤタグを読み込んだときに、前記予約管理対象紐付け情報を解除して、この予約管理対象紐付け情報が解除されたＲＦＩＤタグのＩＤ情報と前記新たに紐付ける予定の管理対象の情報と紐付けて前記データベースサーバ部に記憶された情報を更新するものである請求項４に記載のものである。
【００１８】
請求項１０の発明に係るＲＦＩＤタグの管理システムは、前記タグ取り外し再利用処理端末が、前記所定時間以内に、前記端末用ＲＦＩＤリーダアンテナ部を介して、前記データベースサーバ部にて記憶されているＩＤ情報と紐付ける予定の管理対象の情報とが紐付けられたＲＦＩＤタグが読み込まれなったときに、前記予約管理対象紐付け情報を解除して、前記データベースサーバ部に記憶された情報を更新するものである請求項９に記載のものである。
【発明の効果】
【００１９】
以上のように、請求項１に係る発明によれば、管理対象紐付け情報が解除されたＲＦＩＤタグが所定時間経過後にタグ保管箱に入れられたかどうかを判定することが可能なＲＦＩＤタグの管理システムを得ることができる。
【００２０】
請求項２に係る発明によれば、請求項１の効果に加え、タグ保管箱が閉じられるごとにタグ保管箱に保管されたＲＦＩＤタグを確認することが可能なＲＦＩＤタグの管理システムを得ることができる。
【００２１】
請求項３に係る発明によれば、管理対象紐付け情報が解除されたＲＦＩＤタグがタグ保管箱に入れられたかどうかを判定することが可能なＲＦＩＤタグの管理システムを得ることができる。
【００２２】
請求項４に係る発明によれば、請求項１〜３の効果に加え、管理対象紐付け情報が解除されたＲＦＩＤタグが管理対象所在エリアに放置されていても検出することが容易なＲＦＩＤタグの管理システムを得ることができる。
【００２３】
請求項５に係る発明によれば、請求項１〜３の効果に加え、管理対象紐付け情報が解除されたＲＦＩＤタグを再利用する（新たに管理対象と紐付ける）ことが可能なＲＦＩＤタグの管理システムを得ることができる。
【００２４】
請求項６に係る発明によれば、請求項４の効果に加え、管理対象紐付け情報が解除されたＲＦＩＤタグを再利用する（新たに管理対象と紐付ける）ことが可能なＲＦＩＤタグの管理システムを得ることができる。
【００２５】
請求項７に係る発明によれば、請求項６の効果に加え、管理対象紐付け情報が解除されたＲＦＩＤタグを再利用する（新たに管理対象と紐付ける）処理の後に、管理対象紐付け情報が解除されたＲＦＩＤタグが管理対象所在エリアに放置されていても検出を再開することが可能なＲＦＩＤタグの管理システムを得ることができる。
【００２６】
請求項８に係る発明によれば、請求項１〜３の効果に加え、管理対象紐付け情報が解除されたＲＦＩＤタグを再利用する（新たに管理対象と紐付ける）ための予約がＲＦＩＤタグをタグ保管箱から取り出す前に行うことが可能なＲＦＩＤタグの管理システムを得ることができる。
【００２７】
請求項９に係る発明によれば、請求項４の効果に加え、管理対象紐付け情報が解除されたＲＦＩＤタグを再利用する（新たに管理対象と紐付ける）ための予約がＲＦＩＤタグをタグ保管箱から取り出す前に行うことが可能なＲＦＩＤタグの管理システムを得ることができる。
【００２８】
請求項１０に係る発明によれば、請求項９の効果に加え、管理対象紐付け情報が解除されたＲＦＩＤタグを再利用する（新たに管理対象と紐付ける）ための予約された後、ＲＦＩＤタグを再利用する（新たに管理対象と紐付ける）ための処理を所定時間以内に行われなければ、予約を解除することが可能なＲＦＩＤタグの管理システムを得ることができる。
【図面の簡単な説明】
【００２９】
【図１】この発明の実施の形態１に係るＲＦＩＤタグの管理システムの機能ブロック図である。
【図２】この発明の実施の形態１に係るＲＦＩＤタグの管理システムを構成するタグ保管箱の透視図である。
【図３】この発明の実施の形態１に係るＲＦＩＤタグの管理システムを構成するタグ保管箱の透視図である。
【図４】この発明の実施の形態１に係るＲＦＩＤタグの管理システムを構成するタグ取り外し再利用処理端末の模式図及び管理対象紐付け情報（物品紐付け情報）のテーブル（例示）である。
【図５】この発明の実施の形態１に係るＲＦＩＤタグの管理システムの動作フローチャートである。
【図６】この発明の実施の形態１に係るＲＦＩＤタグの管理システムの動作フローチャートである。
【図７】この発明の実施の形態１に係るＲＦＩＤタグの管理システムの動作フローチャートである。
【図８】この発明の実施の形態２に係るＲＦＩＤタグの管理システムの動作フローチャートである。
【図９】この発明の実施の形態２に係るＲＦＩＤタグの管理システムの動作フローチャートである。
【図１０】この発明の実施の形態３に係るＲＦＩＤタグの管理システムの動作フローチャートである。
【図１１】この発明の実施の形態３に係るＲＦＩＤタグの管理システムの動作フローチャートである。
【図１２】この発明の実施の形態３に係るＲＦＩＤタグの管理システムの動作フローチャートである。
【図１３】この発明の実施の形態４に係るＲＦＩＤタグの管理システムの動作フローチャートである。
【発明を実施するための形態】
【００３０】
実施の形態１．
以下、この発明の実施の形態１について図１〜７を用いて説明する。図４（ａ）はタグ取り外し再利用処理端末の模式図、図４（ｂ）はデータベースサーバ部に記憶されているＲＦＩＤタグのＩＤ情報に紐付けられている物品の情報（物品名、メーカ名、物品のＩＤ情報）及びＲＦＩＤタグの使用回数・使用開始日を示すテーブルである。図中、同一符号は、同一又は相当部分を示しそれらについての詳細な説明は省略する。図５〜７に記載のフローチャートに付したＳ○○○○（○には０又は正の整数が入る）とは、実施の形態１に係るＲＦＩＤタグの管理システムの処理ステップを示すものである。
【００３１】
図１〜７において、１はＲＦＩＤタグである。後述する物品所在エリア内に存在するものがＲＦＩＤタグ１ａ、後述するタグ取り外し再利用処理エリア（処理エリア）内に存在するものがＲＦＩＤタグ１ｂ、後述するタグ保管箱８内に存在するものがＲＦＩＤタグ１ｃとする。なお、複数の物品所在エリアのうち、一つがタグ取り外し再利用処理エリア（処理エリア）である。２はＲＦＩＤタグ１が貼り付けられた物品である。後述する物品所在エリア内に存在するものが物品２ａ、物品所在エリア内のうち、特に、後述するタグ取り外し再利用処理端末７が設けられたエリア（タグ取り外し再利用処理エリア（処理エリア））内に存在するものが物品２ｂとする。物品２（物品２ａ及び物品２ｂ）は、物品に限らず、人や動植物などの生体でもよい。つまり、ＲＦＩＤタグ１を貼り付ける又は携帯させて、ＲＦＩＤシステムで管理する管理対象（管理対象者、管理対象物）であればなんでもよい。本願では、物品２を管理対象２の代表例として説明に使用するので、「物品」を「管理対象」や「人・客など」と読み替えてもよい。同じく、本願では、物品所在エリアを管理対象所在エリアの代表例として説明に使用する。したがって、本願は、例えば、管理対象が物品である場合、物品管理システムに好適であり、管理対象が人（特に、来客）である場合、入退室システムにおける一時的に発行する入退室の認証に使用するＩＤカード（ゲストカード）であるＲＦＩＤタグの発行システムに好適である。
【００３２】
図１〜７において、３はＲＦＩＤタグ１（ＲＦＩＤタグ１ａ）が貼り付けられた物品２（物品２ａ）が存在する可能性がある複数の物品所在エリア内に、それぞれ設けられたＲＦＩＤリーダアンテナ部である。物品所在エリア１内に設けられたものをＲＦＩＤリーダアンテナ部３ａ、物品所在エリア２内に設けられたものをＲＦＩＤリーダアンテナ部３ｂ、物品所在エリア３内に設けられたものをＲＦＩＤリーダアンテナ部３ｃ、タグ取り外し再利用処理エリア（処理エリア）内に設けられたものをＲＦＩＤリーダアンテナ部３ｄとする。４はＲＦＩＤリーダアンテナ部３からＲＦＩＤタグ１へ電波（質問波）を送信して、その応答の有無、つまり、質問波に対して返信される電波（返信波）の有無からＲＦＩＤタグ１の所在を確認するＲＦＩＤリーダ部である。ＲＦＩＤタグ１からの返信波には、その返信波を返信したＲＦＩＤタグ１のＩＤ情報が含まれており、ＲＦＩＤリーダ部４は後述するデータベースサーバ部５に記憶されているＩＤ情報と照合するして、返信波を返信したＲＦＩＤタグ１を特定することができる（個体識別）。ＲＦＩＤリーダアンテナ部３ａを接続したものをＲＦＩＤリーダ部４ａ、ＲＦＩＤリーダアンテナ部３ｂを接続したものをＲＦＩＤリーダ部４ｂ、ＲＦＩＤリーダアンテナ部３ｃを接続したものをＲＦＩＤリーダ部４ｃ、ＲＦＩＤリーダアンテナ部３ｄを接続したものをＲＦＩＤリーダ部４ｄとする。ＲＦＩＤリーダアンテナ部３ａ〜３ｄを一つのＲＦＩＤリーダ部４で接続してもよい。また、ＲＦＩＤリーダ部４（ＲＦＩＤリーダ部４ａ〜４ｄ）はＲＦＩＤタグ１への書き込み機能を有するＲＦＩＤリーダライタを含むものとする。そのため、図１においては、ＲＦＩＤリーダ部４はＲ／Ｗと表記している。
【００３３】
図１〜７において、５はＲＦＩＤリーダ部４、後述するタグ取り外し再利用処理端末７及び保管箱用ＲＦＩＤリーダ部１０並びに制御部１１に接続され、図４（ｂ）に例示するようなＲＦＩＤタグ１のＩＤ情報とＲＦＩＤタグ１が貼り付けられた物品２の情報とを紐付けた物品紐付け情報（ＲＦＩＤタグ１の使用回数・使用開始日を含む）を記憶するデータベースサーバ部である。本願では、ＲＦＩＤタグ１のＩＤ情報は、ＲＦＩＤタグ１ごとに付されたシリアル番号（製造番号を含む）をそのままＩＤ番号として使う場合と、ＲＦＩＤタグ１ごとに新たにＩＤ番号を発行する場合との両方の場合を説明する。新たに、ＩＤ番号を発行する場合は、データベースサーバ部５にＲＦＩＤタグ１のシリアル番号（製造番号を含む）と新たに発行された当該ＲＦＩＤタグ１のＩＤ番号を紐付けた情報を記憶させておいてもよいし、新たに発行されたＩＤ番号を当該ＲＦＩＤタグ１のメモリ部に書き込んでおいてもよい。もちろん、データベースサーバ部５での記憶とＲＦＩＤタグ１への書き込みの両方を行ってもよい。また、本願では、データベースサーバ部５に記憶されているＲＦＩＤタグ１のＩＤ情報に紐付けられている物品２の情報は、物品２の物品名、物品２を製造又は販売するメーカ名、物品２のＩＤ情報である。ここで、物品２のＩＤ情報は、メーカが設定したＩＤ情報やシリアル番号（製造番号）でもよいし、新たに設定したＩＤ情報や新たに設定した管理番号でもよい。
【００３４】
図１〜７において、６は複数の物品所在エリアのうち、一つの物品所在エリア（タグ取り外し再利用処理エリア（処理エリア））の内部に設けられた端末用ＲＦＩＤリーダアンテナ部６は端末用ＲＦＩＤリーダアンテナ部６と接続され、端末用ＲＦＩＤリーダアンテナ部６を介して、読み込んだＲＦＩＤタグ１が物品紐付け情報を有するものであるときは、当該物品紐付け情報を解除して、データベースサーバ部６に記憶された物品紐付け情報を更新するタグ取り外し再利用処理端末（タグ取り外し再利用登録端末）である。なお、タグ取り外し再利用処理端末７は前述のＲＦＩＤリーダ部４と同等の機能を包含している。また、前述のＲＦＩＤリーダ部４と同等の機能に加え、タグ取り外し再利用処理端末７（タグ取り外し再利用登録端末７）は、汎用のＰＣ及びそのＰＣに組み込まれたソフトウェア及びなどで構成される。タグ取り外し再利用処理端末７の表示部７ａは液晶ディスプレイなどが想定される。タグ取り外し再利用処理端末７の入力部７ｂはキーボード、マウス、タッチパネルなどが想定され、タグ取り外し再利用処理端末７を用いて、タグ取り外しの処理やタグ再利用の処理を行う作業者が操作可能なものであればよい。８は端末用ＲＦＩＤリーダアンテナ部６と同じ物品所在エリア（タグ取り外し再利用処理エリア（処理エリア））内に配置され、内部にＲＦＩＤタグ１を保持（保管）することが可能な空間を有し、その空間と外部とを閉じることで電磁的に遮蔽状態とすることが可能な蓋や扉などの蓋手段８ａと蓋手段８ａの開閉を検知するセンサである開閉検知手段８ｂとが設けられた筐体を有するタグ保管箱（タグ保管庫）である。タグ保管箱８は、図１では断面図で示している。図２及び３では透視図で示している。蓋手段８ａが開放状態のままであった場合は、開閉検知手段８ｂが、それを検知して、タグ取り外し再利用処理端末７の表示部７ａに蓋手段８ａが開放状態のままであることを報知させてもよい。
【００３５】
図１〜７において、９はタグ保管箱８の内部に形成された保管箱内ＲＦＩＤリーダアンテナ部、１０は保管箱内ＲＦＩＤリーダアンテナ部９に接続された保管箱用ＲＦＩＤリーダ部である。なお、保管箱用ＲＦＩＤリーダ部１０は、図１に示すように、タグ保管箱８の外部に形成してもよいし、タグ保管箱８の内部に形成してもよい。保管箱用ＲＦＩＤリーダ部１０をタグ保管箱８の外部に形成する場合は、特許文献５に記載のような構成が考えられる。また、保管箱用ＲＦＩＤリーダ部１０は前述のＲＦＩＤリーダ部４と同等の機能を包含している。さらに、ＲＦＩＤリーダ部４，タグ取り外し再利用処理端末７におけるＲＦＩＤリーダに相当する機能を有する部分、保管箱用ＲＦＩＤリーダ部１０を一つのＲＦＩＤリーダで構成してもよい。
【００３６】
図１〜７において、１１はタグ取り外し再利用処理端末７によって、物品紐付け情報が解除されてから所定時間経過後に、保管箱用ＲＦＩＤリーダ部１０を制御して、物品紐付け情報を解除されたＲＦＩＤタグ１が、保管箱内ＲＦＩＤリーダアンテナ部９からの送信された電波に応答するかどうか判定する機能、又は、タグ保管箱８が閉じたことをトリガとして、つまり、開閉検知手段８ｂから検知信号を受け、その検知信号をトリガとして、保管箱用ＲＦＩＤリーダ部１０を制御して、物品紐付け情報を解除されたＲＦＩＤタグ１が、保管箱内ＲＦＩＤリーダアンテナ部９からの送信された電波に応答するかどうか判定する機能を有する制御部である。
【００３７】
機能部１１は、ＲＦＩＤリーダ部４、データベースサーバ部５、タグ取り外し再利用処理端末７、保管箱用ＲＦＩＤリーダ部１０に接続されており、ＲＦＩＤリーダ部４、タグ取り外し再利用処理端末７、保管箱用ＲＦＩＤリーダ部１０によるＲＦＩＤタグ１への電波（質問波）の送信とその応答であるＲＦＩＤタグ１から電波（返信波）を受信してＲＦＩＤタグ１の存在を検知する動作の制御を行っている。この一連の動作を「ＲＦＩＤタグ１（ＲＦＩＤタグ１ａ〜１ｃ）を読み取る」と称する。ＲＦＩＤタグ１から電波（返信波）には、ＲＦＩＤタグ１ごとに設定されているＲＦＩＤタグ１のＩＤ情報などの情報が乗せられている。また、このＩＤ情報の認証を、制御部１１がデータベースサーバ部５に記憶されている情報をデータベースサーバ部５から得ることで、行っている。
【００３８】
図２及び３は、タグ取り外し再利用処理エリア（処理エリア）内に配置されたタグ保管箱８を図示している。図２に記載のタグ保管箱８は蓋手段８ａが開いている状態を図示しており、図３に記載のタグ保管箱８は蓋手段８ａが閉じている状態を図示している。図２の状態の場合は、蓋手段８ａが開放されているので、タグ保管箱８と同じ処理エリアに配置されたＲＦＩＤリーダアンテナ部３ｄにより、タグ保管箱８の空間に保管されたＲＦＩＤタグ１ｃを読み取ることができるので、タグ保管箱８の外に存在するＲＦＩＤタグ１ｂとＲＦＩＤタグ１ｃとの区別の所在に関しての区別がつかない。つまり、ＲＦＩＤタグ１ｂがタグ保管箱８に保管されている可能性があれば、ＲＦＩＤタグ１ｃがタグ保管箱８に保管されていない可能性もある。一方、図２の状態の場合は、蓋手段８ａが閉鎖されているので、タグ保管箱８と同じ処理エリアに配置されたＲＦＩＤリーダアンテナ部３ｄにより、タグ保管箱８の空間に保管されたＲＦＩＤタグ１ｃを読み取ることができない、つまり、ＲＦＩＤリーダアンテナ部３ｄからの電波は、タグ保管箱８の内部の空間には届かないので、タグ保管箱８の外に存在するＲＦＩＤタグ１ｂとＲＦＩＤタグ１ｃとの区別の所在に関しての区別がつく。
【００３９】
タグ保管箱８の開閉検知手段８ｂは、タグ保管箱８の蓋手段８ａの開放状態又は閉鎖状態を検知するために設けられている。蓋手段８ａが図１〜３に記載のような扉であれば、開閉検知手段８ｂは、扉の蝶番部分に設けるとよい。また、ＲＦＩＤリーダ部４ｄ及びこれに接続されたＲＦＩＤリーダアンテナ部３ｄを開閉検知手段８ｂとしてもよい。具体的には、蓋手段８ａが開放状態と閉鎖状態によって、タグ保管庫８内の空間にある「ＲＦＩＤタグ」の読み取りの可否が変わることを（特許文献４に記載のような手法と類似の手法）利用して、タグ保管庫８内の空間に蓋手段８ａの開放状態と閉鎖状態とを検出するための専用の「ＲＦＩＤタグ」を配置して、ＲＦＩＤリーダアンテナ部３ｄが、専用の「ＲＦＩＤタグ」を読み取りことができると、蓋手段８ａの開放状態と判断し、ＲＦＩＤリーダアンテナ部３ｄが、専用の「ＲＦＩＤタグ」を読み取りことができないと、蓋手段８ａの閉鎖状態と判断する。もちろん、この場合、開閉検知手段８ｂは、ＲＦＩＤリーダ部４ｄ及びこれに接続されたＲＦＩＤリーダアンテナ部３ｄに加えて、専用の「ＲＦＩＤタグ」も構成の一つと解することができる。
【００４０】
同様に、保管箱用ＲＦＩＤリーダ部１０及びこれに接続された保管箱内ＲＦＩＤリーダアンテナ部９を開閉検知手段８ｂとしてもよい。具体的には、蓋手段８ａが開放状態と閉鎖状態によって、タグ保管庫８外にある「ＲＦＩＤタグ」の読み取りの可否が変わることを（特許文献４に記載のような手法）利用して、タグ保管庫８外に蓋手段８ａの開放状態と閉鎖状態とを検出するための専用の「ＲＦＩＤタグ」を配置して、保管箱内ＲＦＩＤリーダアンテナ部９が、専用の「ＲＦＩＤタグ」を読み取りことができると、蓋手段８ａの開放状態と判断し、保管箱内ＲＦＩＤリーダアンテナ部９が、専用の「ＲＦＩＤタグ」を読み取りことができないと、蓋手段８ａの閉鎖状態と判断する。もちろん、この場合、開閉検知手段８ｂは、保管箱用ＲＦＩＤリーダ部１０及びこれに接続された保管箱内ＲＦＩＤリーダアンテナ部９に加えて、専用の「ＲＦＩＤタグ」も構成の一つと解することができる。
【００４１】
図４〜６を用いて実施の形態１に係るＲＦＩＤタグの管理システムの動作について説明する。図５には、タグ取り外しの処理フローが記載され、図６にはタグ再利用の処理フローが記載されている。図４（ｂ）に示すテーブルにおけるＲＦＩＤタグ１の使用回数とは、タグ再利用の処理を行った回数（厳密には、初回分の１回を加えた回数）を示すものである。図４（ｂ）に示すテーブルにおけるＲＦＩＤタグ１の使用開始日とは、その名のとおり、そのＲＦＩＤタグ１の使用を開始した日である。まず、タグ取り外しの処理フロー説明する。図４（ａ）に示すように、作業者は、タグ取り外し再利用処理端末７に接続された端末用ＲＦＩＤリーダアンテナ部６へ物品２から取り外したＲＦＩＤタグ１ｂをかざす。ＲＦＩＤタグ１ｂを物品２ｂに貼り付けたまま読み込ませてもよい（ＲＦＩＤタグ１ｂ（ＲＦＩＤタグ１ｃ）をタグ保管箱８に保管する際には、物品２から外す必要はある）。ＲＦＩＤタグ１ｂが取り外された物品２ｂは、元々、処理エリアにあったものでも、別の物品所在エリア（物品所在エリア１〜３）からタグ取り外し再利用処理端末７を配置した処理エリアに持ち込んだものでもよい。
【００４２】
図５のＳ０５０１に記載のように、ＲＦＩＤタグ１ｂが読み込まれると、そのＩＤ情報がデータベースサーバ部５へ照会され、タグ取り外し再利用処理端末７は、端末用ＲＦＩＤリーダアンテナ部６を介して、読み込んだＲＦＩＤタグ１ｂのＩＤ情報が物品紐付け情報を有していないときは、処理ステップＡ（図６記載）であるＳ０５０３へ進み、Ｓ０６０４以降の処理を行う。この場合、図４（ｂ）に記載のテーブルを例に取ると、ＲＦＩＤタグ１ｂのＩＤ情報が、「ＢＢ」、「ＣＣ」、「ＥＥ」、「ＧＧ」であるものが物品紐付け情報を有していないものとなる。処理ステップＡは後述する。端末用ＲＦＩＤリーダアンテナ部６を介して、読み込んだＲＦＩＤタグ１ｂのＩＤ情報が物品紐付け情報を有するものであるときは、Ｓ０５０４へ進む。この場合、図４（ｂ）に記載のテーブルを例に取ると、ＲＦＩＤタグ１ｂのＩＤ情報が、「ＡＡ」、「ＤＤ」、「ＦＦ」、「ＨＨ」であるものが物品紐付け情報を有しているものとなる。
【００４３】
図５に記載のＳ０５０４では、表示部７ａにＲＦＩＤタグ１ｂを物品２ｂから取り外す作業を行うか否かを問う表示を行う。作業者がＲＦＩＤタグ１ｂを物品２ｂから外す作業を望まない場合は、入力部７ｂを用いて、ＲＦＩＤタグ１ｂを作業者は物品２ｂから外してタグ保管箱８へ保管する作業を望まないことを入力すると、タグ取り外しの処理フローが終了する。一方、作業者がＲＦＩＤタグ１ｂを物品２ｂから外す作業を望む場合は、入力部７ｂを用いて、ＲＦＩＤタグ１ｂを作業者は物品２ｂから外してタグ保管箱８へ保管する作業を望むことを入力するとＳ０５０５へ進む。Ｓ０５０５では、タグ取り外し再利用処理端末７がＲＦＩＤタグ１ｂとＲＦＩＤタグ１ｂが貼り付けられていた物品２ｂの情報を解除する。ＲＦＩＤタグ１ｂのＩＤ情報が、図４（ｂ）に示す「ＡＡ」であれば、テーブルの「物品紐付け情報」を「あり」から「なし」に変更し、「物品名」「メーカ名」「物品のＩＤ情報」を削除し（本願では、データベースサーバ部５に履歴として記憶しておく場合も便宜上削除と呼ぶ）、Ｓ０５０６へ進む。
【００４４】
図５に記載のＳ０５０６では、表示部７ａにＲＦＩＤタグ１ｂを物品２ｂから外してタグ保管箱８へ保管する作業を行うか否かを問う表示を行う。作業者がＲＦＩＤタグ１ｂを物品２ｂから外してタグ保管箱８へ保管する作業を望まない場合は、つまり、ＲＦＩＤタグ１の再利用を望まない場合は、入力部７ｂを用いて、ＲＦＩＤタグ１ｂを作業者は物品２ｂから外してタグ保管箱８へ保管する作業を望まないことを入力すると、Ｓ０５０７へ進み、表示部７ａにＲＦＩＤ１ｂを破棄するように注意喚起を行う表示を行いタグ取り外しの処理フローが終了する。一方、作業者がＲＦＩＤタグ１ｂを物品２ｂから外してタグ保管箱８へ保管する作業を望む場合は、入力部７ｂを用いて、ＲＦＩＤタグ１ｂを作業者は物品２ｂから外してタグ保管箱８へ保管する作業を望むことを入力するとＳ０５０８へ進み、表示部７ａにＲＦＩＤ１ｂをタグ保管箱８へ保管するように注意喚起を行う表示を行いタグ取り外しの処理フローが終了する。図４（ｂ）に示す「使用回数」のカウントアップは、このときに行ってもよいし、図６を用いて後述するタグ再利用の処理フローにて行ってもよい。
【００４５】
Ｓ０５０６では、作業者がＲＦＩＤタグ１の再利用を決める根拠又は参考の情報として、タグ取り外し再利用処理端末７が物品紐付け情報が解除されたＲＦＩＤタグ１ｂの使用回数と使用開始日の情報をデータサーバ部５から得て、表示部７ａに表示するようにしてもうよい。また、Ｓ０５０８の処理の終了後に、作業者が確実に物品紐付け情報が解除されたＲＦＩＤタグ１ｂをタグ保管箱８へ保管させるために、タグ取り外し再利用処理端末７によって、物品紐付け情報が解除されてから所定時間経過後に、制御部１１が保管箱用ＲＦＩＤリーダ部１０を制御して、物品紐付け情報を解除されたＲＦＩＤタグ１ｂ（ＲＦＩＤタグ１ｃ）が、保管箱内ＲＦＩＤリーダアンテナ部９からの送信された電波に応答するかどうか判定する。なお、タグ保管箱８内のＲＦＩＤタグ１ｃが無断で持ち出されないように、又は、タグ保管箱８内へ物品紐付け情報の解除を行っていないＲＦＩＤタグ１ｄを入れなれないように、制御部１１が、タグ保管箱８が閉じたことをトリガとして、保管箱用ＲＦＩＤリーダ部１０を制御して、保管箱内ＲＦＩＤリーダアンテナ部９から電波を送信して、タグ保管箱８内のＲＦＩＤタグ１ｃ（ＲＦＩＤタグ１ｂ）の存在やその数を確認するようにしてもよい。さらに、この動作をＳ０５０８の処理の終了後に、作業者が確実に物品紐付け情報が解除されたＲＦＩＤタグ１ｂをタグ保管箱８へ保管させるために使用してもよい。つまり、物品紐付け情報が解除されてから所定時間経過という制限を解除して、タグ保管箱８が閉じたことだけをトリガとしてもよい。
【００４６】
なお、実施の形態１に係るＲＦＩＤタグの管理システムは、作業エリアを含む物品所在エリア内での物品紐付け情報が解除されたＲＦＩＤタグ１の紛失を防ぐために、データベースサーバ部５にて記憶されているＩＤ情報が物品紐付け情報を解除された状態のＲＦＩＤタグ１が存在するときは、制御部１１がＲＦＩＤリーダ部４ａ〜４ｄを制御して、連続又は間欠的に、ＲＦＩＤリーダアンテナ部３ａ〜３ｄから電波を送信し、物品紐付け情報が解除されたＲＦＩＤタグ１の応答を確認するようにしてもよい。この処理を行っている場合は、図６を用いて説明するタグ取り外しの処理の前に、制御部１１が、タグ保管箱８が開いたことをトリガとして、ＲＦＩＤリーダ部４ａ〜４ｄ（特に、ＲＦＩＤリーダ部４ｄ）を制御して、端末用ＲＦＩＤリーダアンテナ部６と同じ処理エリア内に配置されたＲＦＩＤリーダアンテナ部４ｄから電波を送信して、ＲＦＩＤタグの応答を確認する動作を停止させる制御を行う。
【００４７】
次に、タグ再利用の処理フロー説明する。図４（ａ）に示すように、作業者は、タグ取り外し再利用処理端末７に接続された端末用ＲＦＩＤリーダアンテナ部６へタグ保管箱８を開けて取り出したＲＦＩＤタグ１ｂ（ＲＦＩＤタグ１ｃ）をかざす。図６のＳ０６０１に記載のように、ＲＦＩＤタグ１ｂが読み込まれると、そのＩＤ情報がデータベースサーバ部５へ照会され、タグ取り外し再利用処理端末７は、端末用ＲＦＩＤリーダアンテナ部６を介して、読み込んだＲＦＩＤタグ１ｂのＩＤ情報が物品紐付け情報を有するものであるときは、処理ステップＢ（図５記載）であるＳ０６０３へ進み、Ｓ０５０４以降の処理を行う。この場合、図４（ｂ）に記載のテーブルを例に取ると、ＲＦＩＤタグ１ｂのＩＤ情報が、「ＡＡ」、「ＤＤ」、「ＦＦ」、「ＨＨ」であるものが物品紐付け情報を有しているものとなる。処理ステップＡは後述する。端末用ＲＦＩＤリーダアンテナ部６を介して、読み込んだＲＦＩＤタグ１ｂのＩＤ情報が物品紐付け情報を有していないときは、Ｓ０６０４へ進む。この場合、図４（ｂ）に記載のテーブルを例に取ると、ＲＦＩＤタグ１ｂのＩＤ情報が、「ＢＢ」、「ＣＣ」、「ＥＥ」、「ＧＧ」であるものが物品紐付け情報を有していないものとなる。
【００４８】
図６に記載のＳ０６０４では、表示部７ａにＲＦＩＤタグ１ｂを物品２ｂから取り付ける作業を行うか否かを問う表示を行う。作業者がＲＦＩＤタグ１ｂを物品２ｂへ取り付ける作業を望まない場合は、入力部７ｂを用いて、ＲＦＩＤタグ１ｂを作業者は物品２ｂへ取り付ける作業を望まないことを入力すると、Ｓ０６０５へ進み、表示部７ａにＲＦＩＤ１ｂをタグ保管箱８へ保管する（戻す）ように注意喚起を行う表示を行いタグ再利用の処理フローが終了する。一方、作業者がＲＦＩＤタグ１ｂを物品２ｂへ取り付ける作業を望む場合は、入力部７ｂを用いて、ＲＦＩＤタグ１ｂを作業者は物品２ｂへ取り付ける作業を望むことを入力するとＳ０６０６へ進む。
【００４９】
図６に記載のＳ０６０６では、端末用ＲＦＩＤリーダアンテナ部６を介して、読み込んだＲＦＩＤタグ１ｂのＩＤ情報に予約物品紐付け情報（図４（ｂ）では図示していない）があるか否かを判定して、ある場合は、データベースサーバ部５に記憶されている情報を更新し、予約物品紐付け情報を解除してからＳ０６０８へ進み。無い場合はＳ０６０７へ進む。ここで、予約物品紐付け情報を説明すると、実施の形態１に係るＲＦＩＤタグの管理システムにおいて、作業者は、タグ保管箱８からＲＦＩＤタグ１ｃを取り出す前に、事前に、取り出して物品２ｂへ貼り付けるＲＦＩＤタグ１ｃを予約することができる。具体的には、作業者がタグ取り外し再利用処理端末７を操作して、タグ保管箱８内に保管されているＲＦＩＤタグ１ｃを選択し、そのＲＦＩＤタグ１ｃを貼り付ける予定の物品２ｂの情報を入力することより、タグ取り外し再利用処理端末７（制御部１１）が、データベースサーバ部５にて記憶されているＩＤ情報が物品紐付け情報を解除されたＲＦＩＤタグ１ｃ（初めて使用するＲＦＩＤタグ１ｃを含む）のＩＤ情報と新たに紐付ける予定の管理対象の情報とを紐付けて予約物品紐付け情報としてデータベースサーバ部５に記憶された情報を更新する。紐付ける情報は、後述の物品紐付け情報登録の説明で行う（Ｓ０６０７、Ｓ０６０８）。その後、所定時間内に、端末用ＲＦＩＤリーダアンテナ部６を介して、データベースサーバ部５にて記憶されているＩＤ情報と紐付ける予定の管理対象の情報とが紐付けられたＲＦＩＤタグ１ｃ（ＲＦＩＤタグ１ｂ）を読み込んだときに、予約管理対象紐付け情報を解除して、この予約管理対象紐付け情報が解除されたＲＦＩＤタグ１ｂのＩＤ情報と新たに紐付ける予定の管理対象の情報と紐付けてデータベースサーバ部５に記憶された情報の更新を制御部１１が実行する。
【００５０】
なお、実施の形態１に係るＲＦＩＤタグの管理システムが、作業エリアを含む物品所在エリア内での物品紐付け情報が解除されたＲＦＩＤタグ１の紛失を防ぐために、データベースサーバ部５にて記憶されているＩＤ情報が物品紐付け情報を解除された状態のＲＦＩＤタグ１が存在するときは、制御部１１がＲＦＩＤリーダ部４ａ〜４ｄを制御して、連続又は間欠的に、ＲＦＩＤリーダアンテナ部３ａ〜３ｄから電波を送信し、物品紐付け情報が解除されたＲＦＩＤタグ１の応答を確認している場合は、タグ保管箱８からＲＦＩＤタグ１ｃを取り出す前に、事前に、取り出して物品２ｂへ貼り付けるＲＦＩＤタグ１ｃを予約する処理を行う際に、制御部１１が、タグ保管箱８が開いたことをトリガとして、ＲＦＩＤリーダ部４ａ〜４ｄ（特に、ＲＦＩＤリーダ部４ｄ）を制御して、端末用ＲＦＩＤリーダアンテナ部６と同じ処理エリア内に配置されたＲＦＩＤリーダアンテナ部３ｄから電波を送信し、ＲＦＩＤタグ１の応答を確認する動作を停止させ、タグ保管箱８が閉じたことをトリガとして、ＲＦＩＤリーダ部４ｄを制御して、端末用ＲＦＩＤリーダアンテナ部６と同じ処理エリア内に配置されたＲＦＩＤリーダアンテナ部４ｄから電波を送信し、ＲＦＩＤタグ１の応答を確認する動作を再開させる必要がある。なお、タグ保管箱８内に保管されたＲＦＩＤタグ１ｃのうち、予約物品紐付け情報があるＲＦＩＤタグ１は、物品紐付け情報があるＲＦＩＤタグ１と同じ取り扱いとし、ＲＦＩＤリーダ部４ｄがＲＦＩＤリーダアンテナ部３ｄを介して読み取ったとしても、エラーと判定しない制御を制御部１１に行わせる。もちろん、タグ保管箱８内に予約物品紐付け情報があるＲＦＩＤタグ１がある場合は、物品紐付け情報が解除された（物品紐付け情報がない）ＲＦＩＤタグ１と同じ取り扱いとし、タグ保管箱用ＲＦＩＤリーダ部１０がタグ保管箱内ＲＦＩＤリーダアンテナ部９を介して読み取ったとしても、エラーと判定しない制御を制御部１１に行わせる。
【００５１】
図６に記載のＳ０６０７では、作業者がＲＦＩＤタグ１ｂ（ＲＦＩＤタグ１ｃ）と紐付ける物品２ｂの情報をタグ取り外し再利用処理端末７へ入力部７ｂを介して入力する。具体的には、図４（ｂ）に記載の情報と同じく、物品名、メーカ名、物品のＩＤ情報を入力する。この情報は、予めデータベースサーバ部５に記憶させておいて、呼び出すようにしてもよい。この紐付ける物品２ｂの情報の入力は、前述の予約物品紐付け情報でも同様である。つまり、予約物品紐付け情報登録とは、ＲＦＩＤタグ１ｃをタグ保管箱８から取り出す前に、ＲＦＩＤタグ１ｃのＩＤ情報を指定して、Ｓ０６０７の処理を行ってから、Ｓ０６０１の処理を行うことを意味する。そのため、タグ保管箱８に保管されているＲＦＩＤタグ１ｃは、外観からＩＤ情報が分かるようにしておいた方がよい。
【００５２】
Ｓ０６０７の後、Ｓ０６０８へ進み、タグ取り外し再利用処理端末７がＲＦＩＤタグ１ｂとＲＦＩＤタグ１ｂが貼り付けられていた物品２ｂの情報を紐付けて、データベースサーバ部５の記憶された情報を更新する。つまり、ＲＦＩＤタグ１ｂのＩＤ情報が、図４（ｂ）に示す「ＢＢ」であれば、テーブルの「物品紐付け情報」を「なし」から「あり」に変更し、「物品名」「メーカ名」「物品のＩＤ情報」を入力、又は、選択された情報に更新し、Ｓ０６０９へ進む（選択された情報とは、物品名、メーカ名、物品のＩＤ情報が、予めデータベースサーバ部５に記憶させておいて、呼び出したものを指す）。なお、Ｓ０６０６で予約物品紐付け情報がありと判定された場合は、Ｓ０６０８の処理で、ＲＦＩＤタグ１ｂとＲＦＩＤタグ１ｂが貼り付けられていた物品２ｂの情報を紐付ける前に、ＲＦＩＤタグ１ｂとＲＦＩＤタグ１ｂが貼り付けられていた物品２ｂの予約情報を削除する。
【００５３】
図６に記載のＳ０６０９では、表示部７ａにＲＦＩＤタグ１ｂを物品２ｂに確実に貼り付けるように注意喚起の表示を行いタグ再利用の処理フローが終了する。なお、タグ再利用の処理フローでは、予約物品紐付け情報の処理を行わない場合でも、制御部１１は、タグ取り外し再利用処理端末７によるデータベースサーバ部５にて記憶されているＩＤ情報が管理対象紐付け情報を解除された状態のＲＦＩＤタグ１を新たに管理対象と紐付けてデータベースサーバ部５に記憶された情報を更新したことをトリガとして、ＲＦＩＤリーダ部４ａ〜４ｄ（特に、ＲＦＩＤリーダ部４ｄ）を制御して、端末用ＲＦＩＤリーダアンテナ部６と同じ処理エリア内に配置されたＲＦＩＤリーダアンテナ部３ｄから電波を送信し、ＲＦＩＤタグ１の応答を確認する動作を再開させてもよい。また、予約物品紐付け情報の処理を行わない場合は、タグ取り外し再利用処理端末７（制御部１１）は、所定時間以内に、端末用ＲＦＩＤリーダアンテナ部６を介して、データベースサーバ部５にて記憶されているＩＤ情報と紐付ける予定の管理対象の情報とが紐付けられたＲＦＩＤタグ１が読み込まれなったときに、予約管理対象紐付け情報を解除して、データベースサーバ部５に記憶された情報を更新してもよい。
【００５４】
以上、実施の形態１に係るＲＦＩＤタグの管理システムの説明では、ＲＦＩＤタグ１のＩＤ情報が、ＲＦＩＤタグ１ごとに付されたシリアル番号（製造番号を含む）をそのままＩＤ番号として使う場合と、ＲＦＩＤタグ１ごとに新たにＩＤ番号を発行する場合との両方の場合との両方に適用できる場合を説明してきたが、ここで、ＲＦＩＤタグ１ごとに新たにＩＤ番号を発行する場合の具体的な説明を行う。図７は、ＲＦＩＤタグ１ごとに新たにＩＤ番号を発行する処理フローであり、特に、タグ取り外しの処理フロー又はタグ再利用の処理フローを実行するごとに、ＲＦＩＤタグ１のＩＤ情報を再発行する場合について説明する。これは、図４（ａ）に示すタグ取り外し再利用処理端末７（制御部１１）と端末用ＲＦＩＤリーダアンテナ部６とを用いて行う処理である。Ｓ０７０１の処理で、前述のＳ０５０１及びＳ０６０１と同様に、ＲＦＩＤタグ１のＩＤ情報の読み取りを実行する（新規のＲＦＩＤタグ１であればシリアル番号）。これと平行して処理ごとに連番のＩＤ情報をタグ取り外し再利用処理端末７が発行する（Ｓ０７０２）。Ｓ０７０１とＳ０７０２とは処理が前後してもよい。
【００５５】
図７に示すＳ０７０３では、Ｓ０７０１によりＲＦＩＤタグ１からＩＤ情報が得られずに、シリアル番号のみ得られたときは、新規使用のＲＦＩＤタグ１と判断してＳ０７０４へ進み、Ｓ０７０２で発行された新たなＩＤ情報をＲＦＩＤタグ１へ端末用ＲＦＩＤリーダアンテナ部６を介して書き込み、かつ、データベースサーバ部５へ当該ＲＦＩＤタグ１のシリアル番号と新たなＩＤ情報とを紐付けて記憶させる。このとき、データベースサーバ部５へは号と新たなＩＤ情報を記憶させるだけでもよい。一方、Ｓ０７０１によりＲＦＩＤタグ１からＩＤ情報が得られたときは、Ｓ０７０５へ進み、Ｓ０７０２で発行された新たなＩＤ情報をＲＦＩＤタグ１へ端末用ＲＦＩＤリーダアンテナ部６を介して元のＩＤ情報に上書きし、かつ、データベースサーバ部５へ新たなＩＤ情報を記憶させる。このとき、データベースサーバ部５へは号と新たなＩＤ情報を記憶させるだけでもよいし、元のＩＤ情報を履歴として記憶しておいてもよい。この履歴を使って前述のＲＦＩＤタグ１の使用回数としてもよい。図７に記載の処理フローは、タグ取り外しの処理フロー又はタグ再利用の処理フローの前に行えばよい。
【００５６】
実施の形態２．
この発明の実施の形態２について図８及び９を用いて説明する。図８及び９に記載のフローチャートに付したＳ○○○○（○には０又は正の整数が入る）とは、実施の形態２に係るＲＦＩＤタグの管理システムの処理ステップを示すものである。図中、同一符号は、同一又は相当部分を示しそれらについての詳細な説明は省略する。実施の形態１に係るＲＦＩＤタグの管理システムでは、タグ取り外しの処理フロー又はタグ再利用の処理フローの前に、新規のＲＦＩＤタグ１のＩＤ情報はデータベースサーバ部５に登録（記憶）済みであること前提としていたが、実施の形態２に係るＲＦＩＤタグの管理システムでは、タグ取り外しの処理フロー及びタグ再利用の処理フローの中に新規のＲＦＩＤタグ１のＩＤ情報をデータベースサーバ部５に登録（記憶）する場合を説明する。つまり、データベースサーバ部５に予め記憶されていないＩＤ情報を有するＲＦＩＤタグ１が使用する場合を説明する。
【００５７】
図８は、実施の形態２に係るＲＦＩＤタグの管理システムに関するタグ取り外しの処理フローを示すフローチャートである。図８は、実施の形態１の図５に対応し、処理ステップＡが処理ステップＣに対応する。処理ステップＢが処理ステップＤに対応する。Ｓ０５０１の後に、Ｓ０８０１の処理を行う。ＲＦＩＤタグ１のＩＤ情報がデータベースサーバ部５に記憶されているものであれば、Ｓ０５０２へ進み。後段の処理は、実施の形態１と同様となる。ＲＦＩＤタグ１のＩＤ情報がデータベースサーバ部５に記憶されているものでなければ、Ｓ０８０２へ進み。そのＩＤ情報をデータベースサーバ部５に記憶させて、Ｓ０５０３（図９記載の処理ステップＣ）へ進む。後段の処理は、実施の形態１と同様となる。
【００５８】
図９は、実施の形態２に係るＲＦＩＤタグの管理システムに関するタグ再利用の処理フローを示すフローチャートである。図９は、実施の形態１の図６に対応し、処理ステップＢが処理ステップＤに対応する。処理ステップＡが処理ステップＣに対応する。Ｓ０６０１の後に、Ｓ０９０１の処理を行う。ＲＦＩＤタグ１のＩＤ情報がデータベースサーバ部５に記憶されているものであれば、Ｓ０６０２へ進み。後段の処理は、実施の形態１と同様となる。ＲＦＩＤタグ１のＩＤ情報がデータベースサーバ部５に記憶されているものでなければ、Ｓ０９０２へ進み。そのＩＤ情報をデータベースサーバ部５に記憶させて、Ｓ０６０４へ進む。後段の処理は、実施の形態１と同様となる。
【００５９】
実施の形態３．
この発明の実施の形態２について図１０〜１２を用いて説明する。図１０〜１２に記載のフローチャートに付したＳ○○○○（○には０又は正の整数が入る）とは、実施の形態３に係るＲＦＩＤタグの管理システムの処理ステップを示すものである。図中、同一符号は、同一又は相当部分を示しそれらについての詳細な説明は省略する。実施の形態２に係るＲＦＩＤタグの管理システムでは、タグ取り外しの処理フロー及びタグ再利用の処理フローの中に新規のＲＦＩＤタグ１のＩＤ情報をデータベースサーバ部５に登録（記憶）する場合を説明したが、実施の形態２に係るＲＦＩＤタグの管理システムでは、実施の形態１の図７を用いて説明した新たにＩＤ情報を発行する処理をタグ取り外しの処理フロー及びタグ再利用の処理フローの中に組み込んだ場合を説明する。
【００６０】
図１０は、実施の形態３に係るＲＦＩＤタグの管理システムに関するタグ取り外しの処理フローを示すフローチャートである。図１０は、実施の形態１の図５に対応し、処理ステップＡが処理ステップＥに対応する。処理ステップＢが処理ステップＦに対応する。Ｓ０５０１の後に、Ｓ１００１の処理を行う。ＲＦＩＤタグ１のＩＤ情報がデータベースサーバ部５に記憶されているものであれば、Ｓ０５０２へ進み。後段の処理は、Ｓ０５０６（ＹＥＳのルート）までは、実施の形態１と同様となる。ＲＦＩＤタグ１にＩＤ情報がなく、シリアル番号のみの場合は、新規使用のＲＦＩＤタグ１と判断してＳ１００２へ進み。Ｓ１００２では、タグ取り外し再利用端末７がＩＤ情報を発行し、その発行された新たなＩＤ情報をＲＦＩＤタグ１へ端末用ＲＦＩＤリーダアンテナ部６を介して書き込み、かつ、データベースサーバ部５へ当該ＲＦＩＤタグ１のシリアル番号と新たなＩＤ情報とを紐付けて記憶させる。このとき、データベースサーバ部５へは号と新たなＩＤ情報を記憶させるだけでもよい。そして、Ｓ０５０３（図１１記載の処理ステップＥ）へ進む。
【００６１】
Ｓ０５０６（ＹＥＳのルート）の後に、Ｓ１００３を実行して、Ｓ０５０８を実行する。Ｓ１００３では、タグ取り外し再利用端末７がＩＤ情報を発行し、その発行された新たなＩＤ情報をＲＦＩＤタグ１へ端末用ＲＦＩＤリーダアンテナ部６を介して元のＩＤ情報に上書きし、かつ、データベースサーバ部５へ新たなＩＤ情報を記憶させる。このとき、データベースサーバ部５へは号と新たなＩＤ情報を記憶させるだけでもよいし、元のＩＤ情報を履歴として記憶しておいてもよい。この履歴を使って前述のＲＦＩＤタグ１の使用回数としてもよい。そして、Ｓ０５０８へ進む。
【００６２】
図１１は、実施の形態３に係るＲＦＩＤタグの管理システムに関するタグ再利用の処理フローを示すフローチャートである。図１１は、実施の形態１の図６に対応し、処理ステップＢが処理ステップＦに対応する。処理ステップＡが処理ステップＥに対応する。Ｓ０６０１の後に、Ｓ１１０１の処理を行う。ＲＦＩＤタグ１のＩＤ情報がデータベースサーバ部５に記憶されているものであれば、Ｓ０６０２へ進み。後段の処理は、実施の形態１と同様となる。ＲＦＩＤタグ１にＩＤ情報がなく、シリアル番号のみの場合は、新規使用のＲＦＩＤタグ１と判断して、Ｓ１１０２へ進み。Ｓ１１０２では、タグ取り外し再利用端末７がＩＤ情報を発行し、その発行された新たなＩＤ情報をＲＦＩＤタグ１へ端末用ＲＦＩＤリーダアンテナ部６を介して書き込み、かつ、データベースサーバ部５へ当該ＲＦＩＤタグ１のシリアル番号と新たなＩＤ情報とを紐付けて記憶させる。このとき、データベースサーバ部５へは号と新たなＩＤ情報を記憶させるだけでもよい。そして、Ｓ０６０４へ進む。後段の処理は、実施の形態１と同様となる。
【００６３】
次に、図１０に示すタグ取り外しの処理フローにおいて、Ｓ１００３を実行しない場合のタグ再利用の処理フローに関して図１２を用いて説明する。図１２は、実施の形態３に係るＲＦＩＤタグの管理システムに関するタグ再利用の処理フローを示すフローチャートである。図１２は、実施の形態１の図６（実施の形態３の図１１）に対応し、処理ステップＢが処理ステップＦに対応する。処理ステップＡが処理ステップＥに対応する。Ｓ０６０１の後に、Ｓ１２０１の処理を行う。ＲＦＩＤタグ１のＩＤ情報がデータベースサーバ部５に記憶されているものであれば、Ｓ０６０２へ進み。後段の処理は、Ｓ０６０２（ＮＯのルート）までは、実施の形態１と同様となる。ＲＦＩＤタグ１にＩＤ情報がなく、シリアル番号のみの場合は、新規使用のＲＦＩＤタグ１と判断して、Ｓ１２０２へ進み。Ｓ１２０２では、タグ取り外し再利用端末７がＩＤ情報を発行し、その発行された新たなＩＤ情報をＲＦＩＤタグ１へ端末用ＲＦＩＤリーダアンテナ部６を介して書き込み、かつ、データベースサーバ部５へ当該ＲＦＩＤタグ１のシリアル番号と新たなＩＤ情報とを紐付けて記憶させる。このとき、データベースサーバ部５へは号と新たなＩＤ情報を記憶させるだけでもよい。そして、Ｓ０６０４へ進む。後段の処理は、実施の形態１と同様となる。
【００６４】
Ｓ０６０２（ＮＯのルート）の後に、Ｓ１２０３を実行して、Ｓ０６０４を実行する。Ｓ１２０３では、タグ取り外し再利用端末７がＩＤ情報を発行し、その発行された新たなＩＤ情報をＲＦＩＤタグ１へ端末用ＲＦＩＤリーダアンテナ部６を介して元のＩＤ情報に上書きし、かつ、データベースサーバ部５へ新たなＩＤ情報を記憶させる。このとき、データベースサーバ部５へは号と新たなＩＤ情報を記憶させるだけでもよいし、元のＩＤ情報を履歴として記憶しておいてもよい。この履歴を使って前述のＲＦＩＤタグ１の使用回数としてもよい。そして、Ｓ０６０４へ進む。後段の処理は、実施の形態１と同様となる。
【００６５】
実施の形態４．
この発明の実施の形態４について図１３を用いて説明する。図１３に記載のフローチャートに付したＳ○○○○（○には０又は正の整数が入る）とは、実施の形態３に係るＲＦＩＤタグの管理システムの処理ステップを示すものである。図中、同一符号は、同一又は相当部分を示しそれらについての詳細な説明は省略する。実施の形態１〜３に係るＲＦＩＤタグの管理システムに関しては、タグ取り外しの処理とタグ再利用の処理とを中心に説明したが、実施の形態４に係るＲＦＩＤタグの管理システムに関しては、実施の形態１〜３に係るＲＦＩＤタグの管理システムに適用することができる「処理エリアを含む物品所在エリアとタグ保管箱８にあるＲＦＩＤタグ１のタグ取り外しの処理とタグ再利用の処理以外での紛失を防ぐ」処理を説明する。この処理は、連続又は間欠的に行ってもよい。
【００６６】
図１３は、処理エリアを含む物品所在エリア及びタグ保管箱８（以下、各エリアという場合がある）にあるＲＦＩＤタグ１のタグ取り外しの処理とタグ再利用の処理以外での紛失を防ぐ処理フローである。Ｓ１３０１にて、制御部１１は、ＲＦＩＤリーダ部４ａ〜４ｄ及び保管箱用ＲＦＩＤリーダ部１０を制御して、ＲＦＩＤリーダアンテナ部３ａ〜３ｄ及び保管箱内ＲＦＩＤリーダアンテナ部９から電波（質問波）を放射して、ＲＦＩＤタグ１のＩＤ情報を読み取る。この場合、ＲＦＩＤタグ１が一つでも複数でもよいことはいうまでもない。次に、Ｓ１３０２で、Ｓ１３０１で読み取ったＩＤ情報のうちで、データベースサーバ部５に記憶されていないものがあれば、Ｓ１３０３へ進み、エラー処理として報知する。報知は、タグ取り外し再利用処理端末７の表示部７ａに表示すればよい。
【００６７】
そして、Ｓ１３０４にて、制御部１１は、データベースサーバ部５に記憶されている全てのＲＦＩＤタグ１のＩＤ情報が、Ｓ１３０１で読み取ったＲＦＩＤタグ１のＩＤ情報にあるかどうかを判定する。欠けているものがある場合は、Ｓ１３０５へ進み、エラー処理として報知する。報知は、タグ取り外し再利用処理端末７の表示部７ａに表示すればよい。すべてある場合は、Ｓ１３０６へ進む。Ｓ１３０６では、制御部１１が、Ｓ１３０１で読み取ったＲＦＩＤタグ１のＩＤ情報のうち、物品紐付け情報が解除された（物品紐付け情報がない）ＲＦＩＤタグ１のＩＤ情報が、保管箱内ＲＦＩＤリーダアンテナ部９以外から読まれていないかを判定する。物品紐付け情報が解除された（物品紐付け情報がない）ＲＦＩＤタグ１のＩＤ情報が全て保管箱内ＲＦＩＤリーダアンテナ部９によって読み取られている場合は、Ｓ１３１０へ進む。そうでいない場合、つまり、物品紐付け情報が解除された（物品紐付け情報がない）ＲＦＩＤタグ１のＩＤ情報が一つでもＲＦＩＤリーダアンテナ部３ａ〜３ｄのいずれかで読み取られている場合は、Ｓ１３０７へ進む。
【００６８】
Ｓ１３０７では、ＲＦＩＤリーダアンテナ部３ｄにより物品紐付け情報が解除された（物品紐付け情報がない）ＲＦＩＤタグ１のＩＤ情報が読み取られておれば、Ｓ１３０８へ進み、ＲＦＩＤリーダアンテナ部３ａ〜３ｃにより物品紐付け情報が解除された（物品紐付け情報がない）ＲＦＩＤタグ１のＩＤ情報が読み取られておれば、物品紐付け情報が解除された（物品紐付け情報がない）ＲＦＩＤタグ１が処理エリア以外の物品所在エリアにあるので、エラー処理として報知する（Ｓ１３０９）。報知は、タグ取り外し再利用処理端末７の表示部７ａに表示すればよい。Ｓ１３０８にて、物品紐付け情報が解除された（物品紐付け情報がない）ＲＦＩＤタグ１をタグ保管箱８へ保管するように注意喚起を行い、Ｓ１３１０へ進む。注意喚起の報知は、タグ取り外し再利用処理端末７の表示部７ａに表示すればよい。
【００６９】
Ｓ１３１０では、制御部１１が、Ｓ１３０１で読み取ったＲＦＩＤタグ１のＩＤ情報のうち、物品紐付け情報があるＲＦＩＤタグ１のＩＤ情報が、保管箱内ＲＦＩＤリーダアンテナ部９以外の各エリアで読まれているかを判定する。物品紐付け情報があるＲＦＩＤタグ１のＩＤ情報がＲＦＩＤリーダアンテナ部３ａ〜３ｄのいずれかで読み取られている場合は、終了へ進む。そうでいない場合、つまり、物品紐付け情報があるＲＦＩＤタグ１のＩＤ情報が一つでも保管箱内ＲＦＩＤリーダアンテナ部９によって読み取られている場合は、Ｓ１３１１へ進み、物品紐付け情報があるＲＦＩＤタグ１をタグ保管箱８から取り出すように注意喚起を行い、注意喚起の報知は、報知は、タグ取り外し再利用処理端末７の表示部７ａに表示すればよい。
【００７０】
なお、各エリアにあるＲＦＩＤタグ１のタグ取り外しの処理とタグ再利用の処理以外での紛失を防ぐ処理フローにおける予約物品紐付け情報（予約管理対象紐付け情報）の取り扱いは、実施の形態１で説明したとおりである。つまり、予約物品紐付け情報があるＲＦＩＤタグ１は、Ｓ１３０６において、タグ保管箱８内にあると判定されても、物品紐付け情報が解除された（物品紐付け情報がない）ＲＦＩＤタグ１と同等に扱い、Ｓ１３１０へ進む。また、予約物品紐付け情報があるＲＦＩＤタグ１は、Ｓ１３１０において、タグ保管箱８以外にあると判定されても、物品紐付け情報があるＲＦＩＤタグ１と同等に扱い、処理を終了する。
【００７１】
このように、実施の形態４に係るＲＦＩＤタグの管理システムは、制御部１１が、ＲＦＩＤリーダ部３ａ〜３ｄ及び保管箱用ＲＦＩＤリーダ部１０を制御して、連続又は間欠的に、ＲＦＩＤリーダアンテナ部４ａ〜４ｄ及び保管箱内ＲＦＩＤリーダアンテナ部９から電波を送信し、ＲＦＩＤタグ１の応答を確認することにより、タグ保管箱８内には、物品紐付け情報が解除された（物品紐付け情報がない）ＲＦＩＤタグ１が存在し、各エリアには、物品紐付け情報があるＲＦＩＤタグ１が存在するという正規の状態を保っているかどうかを制御部１１が容易に判定することができる処理を、実施の形態１〜３に係るＲＦＩＤタグの管理システム（実施の形態１〜３に係るＲＦＩＤタグの管理システムにおけるタグ取り外しの処理フロー及びタグ再利用の処理フロー）へ付与することができる。
【００７２】
また、実施の形態４に係るＲＦＩＤタグの管理システムは、実施の形態１〜３に係るＲＦＩＤタグの管理システムに機能として説明した「制御部１１が、データベースサーバ部５にて記憶されているＩＤ情報が物品紐付け情報を解除された状態のＲＦＩＤタグ１が存在するときは、ＲＦＩＤリーダ部４（ＲＦＩＤリーダ部４ａ〜４ｄ）を制御して、連続又は間欠的に、ＲＦＩＤリーダアンテナ部３（ＲＦＩＤリーダアンテナ部３ａ〜３ｄ）から電波（質問波）を送信し、前記ＲＦＩＤタグの応答（返信波の有無）を確認する」という動作を「データベースサーバ部５にて記憶されているＩＤ情報が物品紐付け情報を解除された状態のＲＦＩＤタグ１が存在しない」場合にも行っているとも解することもできる。逆に、実施の形態４に係るＲＦＩＤタグの管理システムの動作として説明した処理フロー（図１３に記載のフローチャート）の開始のトリガを「データベースサーバ部５にて記憶されているＩＤ情報が物品紐付け情報を解除された状態のＲＦＩＤタグ１が存在する」状態としてもよい。
【００７３】
さらに、実施の形態１〜３に係るＲＦＩＤタグの管理システムに機能として説明した「制御部１１が、タグ保管箱８が開いたことをトリガとして、ＲＦＩＤリーダ部４（ＲＦＩＤリーダ部４ａ〜４ｄ）を制御して、端末用ＲＦＩＤリーダアンテナ部６と同じ物品所在エリア（処理エリア）内に配置されたＲＦＩＤリーダアンテナ部３ｄから電波（質問波）を送信し、ＲＦＩＤタグ１の応答（返信波）を確認する動作を停止」させるとは、実施の形態４に係るＲＦＩＤタグの管理システムの動作として説明した処理フロー（図１３に記載のフローチャート）における処理ステップであるＳ１３０７を実行しないことを指す。換言すると、Ｓ１３０６で物品紐付け情報がないＲＦＩＤタグ１がタグ保管箱８内に有るかどうかに関わらず（ＮＯのルートであっても）、Ｓ１３１０へ進むことを指す。つまり、「端末用ＲＦＩＤリーダアンテナ部６と同じ物品所在エリア（処理エリア）内に配置されたＲＦＩＤリーダアンテナ部３ｄから電波（質問波）を送信し、ＲＦＩＤタグ１の応答（返信波）を確認する動作を停止」させる」とは、実際に、ＲＦＩＤリーダアンテナ部３ｄから電波（質問波）を送信することを停止させる場合と、ＲＦＩＤリーダアンテナ部３ｄから電波（質問波）を送信することを停止させず、処理エリア内のＲＦＩＤタグ１を読み取るが、制御部１１による前述の処理ステップであるＳ１３０７を実行しない場合との両方を含んでいるといえる。
【符号の説明】
【００７４】
１・・ＲＦＩＤタグ、２・・物品（管理対象）、３・・ＲＦＩＤリーダアンテナ部、４・・ＲＦＩＤリーダ部、５・・データベースサーバ部、６・・端末用ＲＦＩＤリーダアンテナ部６・・タグ取り外し再利用処理端末、７ａ・・表示部、７ｂ・・入力部、８・・タグ保管箱、８ａ・・蓋手段、８ｂ・・開閉検知手段、９・・保管箱内ＲＦＩＤリーダアンテナ部、１０・・保管箱用ＲＦＩＤリーダ部、１１・・制御部。
【図１】
2012208875.tif 000003
【図２】
2012208875.tif 000004
【図３】
2012208875.tif 000005
【図４】
2012208875.tif 000006
【図５】
2012208875.tif 000007
【図６】
2012208875.tif 000008
【図７】
2012208875.tif 000009
【図８】
2012208875.tif 000010
【図９】
2012208875.tif 000011
【図１０】
2012208875.tif 000012
【図１１】
2012208875.tif 000013
【図１２】
2012208875.tif 000014
【図１３】
2012208875.tif 000015